(57)【要約】【課題】オフセット踏み込み時の引き剥がし力が比較的小さく、ペダルシートを比較的小さな接合強度で簡単且つ安価にペダルアームに固設しても良いようにする。【解決手段】ペダルアーム１４の下端部に車両幅方向の両側へ互いに離間するように略直角に折り曲げられた一対のシート取付部３２ｔ、３４ｔが一体に設けられ、ペダルシート１８は車両幅方向の中央から左右に対称的に離間した２位置（台座部４０、４２）でそのシート取付部３２ｔ、３４ｔに溶接により一体的に固設されている。このため、ペダルシート１８の端が踏み込み操作されるオフセット踏み込み時においても、溶接による固設部位（第２溶接部Ｗ２ａ、Ｗ２ｂ）に作用する引き剥がし力は比較的小さく、ペダルシート１８を比較的小さな接合強度で簡単且つ安価にペダルアーム１４に溶接できる。【選択図】図２
2011090525.tif 000002
【特許請求の範囲】
【請求項１】
車両に固設されるペダルサポートに支持軸心まわりに回動可能に配設されるペダルアームと、
該ペダルアームの下端部に、該ペダルアームから車両幅方向の両側へ延び出すように一体的に取り付けられ、運転者によって踏み込み操作されるペダルシートと、
を有する車両用操作ペダルにおいて、
前記ペダルアームの下端部には、車両幅方向の両側へ互いに離間するように折り曲げられ、前記ペダルシートに沿って延びる一対のシート取付部が一体に設けられており、
前記ペダルシートは、車両幅方向の中央から左右に離間した２位置で前記シート取付部に一体的に固設されている
ことを特徴とする車両用操作ペダル。
【請求項２】
前記ペダルアームは、車両幅方向に分割された一対の半割体にて構成されており、該一対の半割体の外周部が互いに一体的に接合されることにより中空構造とされている一方、
該一対の半割体の前記ペダルアームが固設される下端部には、前記ペダルシートに向かうに従って車両幅方向へ拡開するようテーパが設けられているとともに、その拡開側の端部から更に外側へ該ペダルシートに沿うように曲げられることにより前記シート取付部が設けられている
ことを特徴とする請求項１に記載の車両用操作ペダル。
【請求項３】
前記シート取付部を設けるために折り曲げられたコーナー部分の少なくとも一部が、車両幅方向の外側へ膨出させられている
ことを特徴とする請求項１または２に記載の車両用操作ペダル。
【請求項４】
前記一対のシート取付部は、前記ペダルシートの車両幅方向の両端部近傍まで延び出している
ことを特徴とする請求項１〜３の何れか１項に記載の車両用操作ペダル。
【請求項５】
前記一対のシート取付部の先端縁において前記ペダルアームと前記ペダルシートとが一体的に溶接されている
ことを特徴とする請求項１〜４の何れか１項に記載の車両用操作ペダル。
【発明の詳細な説明】
【技術分野】
【０００１】
本発明は車両用操作ペダルに係り、特に、ペダルアームの下端部にペダルシートを一体的に固設する構造に関するものである。
【背景技術】
【０００２】
(a) 車両に固設されるペダルサポートに支持軸心まわりに回動可能に配設されるペダルアームと、(b) そのペダルアームの下端部に、そのペダルアームから車両幅方向の両側へ延び出すように一体的に取り付けられ、運転者によって踏み込み操作されるペダルシートと、を有する車両用操作ペダルが、ブレーキペダルやアクセルペダル等に多用されている。特許文献１に記載の車両用操作ペダルはその一例で、前記ペダルアームは、車両幅方向に分割された一対の半割体にて構成されており、その一対の半割体の外周部が一体的に溶接されることにより中空構造とされている。また、その一対の半割体の前記ペダルアームが固設される下端部は、互いに車両幅方向へ離間させられているとともに、その離間側の端部から内側へ略直角に曲げられることによりシート取付部が設けられ、そのシート取付部にペダルシートが溶接等により一体的に固設される。
【先行技術文献】
【特許文献】
【０００３】
【特許文献１】特開２００７−１２２６１０号公報
【発明の概要】
【発明が解決しようとする課題】
【０００４】
しかしながら、このような車両用操作ペダルにおいては、その溶接部位がペダルシートの中央部分に寄っているため、ペダルシートの端が踏み込み操作されるオフセット踏み込み時に、溶接部に大きな引き剥がし力が作用する。例えば図６の(b) は、(a) のVIB −VIB 断面に相当する断面図で、操作ペダル１４の一対の半割体３２、３４の下端部に内向きにシート取付部６０ａ、６０ｂが設けられ、そのシート取付部６０ａ、６０ｂの端縁がアーク溶接等によりペダルシート１８に一体的に溶接されている場合であるが、ペダルシート１８の一端Ｅに踏み込み力Ｆが加えられると、溶接部Ｗ２ａ、Ｗ２ｂには点Ｐを支点として比較的大きな引き剥がし力Ｌａ、Ｌｂが作用する。このため、比較的大きな接合強度が要求され、溶接コストが高くなる。
【０００５】
本発明は以上の事情を背景として為されたもので、その目的とするところは、オフセット踏み込み時の引き剥がし力が比較的小さく、ペダルシートを比較的小さな接合強度で簡単且つ安価にペダルアームに固設できるようにすることにある。
【課題を解決するための手段】
【０００６】
かかる目的を達成するために、第１発明は、(a) 車両に固設されるペダルサポートに支持軸心まわりに回動可能に配設されるペダルアームと、(b) そのペダルアームの下端部に、そのペダルアームから車両幅方向の両側へ延び出すように一体的に取り付けられ、運転者によって踏み込み操作されるペダルシートと、を有する車両用操作ペダルにおいて、(c) 前記ペダルアームの下端部には、車両幅方向の両側へ互いに離間するように折り曲げられ、前記ペダルシートに沿って延びる一対のシート取付部が一体に設けられており、(d) 前記ペダルシートは、車両幅方向の中央から左右に離間した２位置で前記シート取付部に一体的に固設されていることを特徴とする。
【０００７】
第２発明は、第１発明の車両用操作ペダルにおいて、(a) 前記ペダルアームは、車両幅方向に分割された一対の半割体にて構成されており、その一対の半割体の外周部が互いに一体的に接合されることにより中空構造とされている一方、(b) その一対の半割体の前記ペダルアームが固設される下端部には、前記ペダルシートに向かうに従って車両幅方向へ拡開するようテーパが設けられているとともに、その拡開側の端部から更に外側へペダルシートに沿うように曲げられることにより前記シート取付部が設けられていることを特徴とする。
【０００８】
第３発明は、第１発明または第２発明の車両用操作ペダルにおいて、前記シート取付部を設けるために折り曲げられたコーナー部分の少なくとも一部が、車両幅方向の外側へ膨出させられていることを特徴とする。
【０００９】
第４発明は、第１発明〜第３発明の何れかの車両用操作ペダルにおいて、前記一対のシート取付部は、前記ペダルシートの車両幅方向の両端部近傍まで延び出していることを特徴とする。
【００１０】
第５発明は、第１発明〜第４発明の何れかの車両用操作ペダルにおいて、前記一対のシート取付部の先端縁において前記ペダルアームと前記ペダルシートとが一体的に溶接されていることを特徴とする。
【発明の効果】
【００１１】
このような車両用操作ペダルにおいては、ペダルアームの下端部に車両幅方向の両側へ互いに離間するように折り曲げられた一対のシート取付部が一体に設けられており、ペダルシートは車両幅方向の中央から左右に離間した２位置でそれ等のシート取付部に一体的に固設されているため、ペダルシートの端が踏み込み操作されるオフセット踏み込み時においても、溶接等による固設部位に作用する引き剥がし力は比較的小さく、ペダルシートを比較的小さな接合強度で簡単且つ安価にペダルアームに固設できる。例えば図３は前記図６の(b) に対応する図で、シート取付部３２ｔ、３４ｔは外側へ向かって曲げられており、その先端縁においてアーク溶接によりペダルシート１８に一体的に溶接されている場合であるが、ペダルシート１８の一端Ｅに踏み込み力Ｆが加えられても、点Ｐを支点として反対側の溶接部Ｗ２ａに作用する引き剥がし力Ｌａは図６(b) の場合よりも十分に小さく、一端Ｅ側の溶接部Ｗ２ｂは支点Ｐと略同じ位置で、その溶接部Ｗ２ｂに作用する引き剥がし力は略０である。
【００１２】
第２発明は、ペダルアームが一対の半割体にて構成されている中空構造の場合で、所定の強度（捩り剛性など）を確保しつつ軽量化できる一方、その一対の半割体の下端部には、ペダルシートに向かうに従って車両幅方向へ拡開するようテーパが設けられているとともに、その拡開側の端部から更に外側へペダルシートに沿うように曲げられることにより前記シート取付部が設けられているため、ペダルアームの下端部の強度（捩り剛性等）が更に高くなってシート取付部に固設されるペダルシートの姿勢が一層安定するとともに、オフセット踏み込み時に固設部位に作用する引き剥がし力が更に小さくなる。
【００１３】
第３発明は、シート取付部を設けるために折り曲げられたコーナー部分の少なくとも一部が、車両幅方向の外側へ膨出させられているため、コーナー部分を含めたシート取付部の強度が高くなり、オフセット踏み込み時に固設部位に作用する引き剥がし力が小さくなることと相まってペダルシートの姿勢が一層安定するとともに、所定の強度を確保しつつペダルアームの薄肉化等により更なる軽量化を図ることができる。
【００１４】
第４発明は、一対のシート取付部がペダルシートの車両幅方向の両端部近傍まで延び出している場合で、そのシート取付部に固設されるペダルシートの姿勢が一層安定するとともに、オフセット踏み込み時にその固設部位に作用する引き剥がし力が更に小さくなる。
【００１５】
第５発明は、一対のシート取付部の先端縁すなわち最も離間した位置でペダルアームとペダルシートとが一体的に溶接されている場合で、ペダルシートの姿勢が一層安定するとともに、オフセット踏み込み時にその溶接部（固設部位）に作用する引き剥がし力が更に小さくなる。
【図面の簡単な説明】
【００１６】
【図１】本発明の一実施例である車両用ブレーキペダルを示す図で、(a) は左側面図、(b) は正面図である。
【図２】図１の実施例においてペダルアームにペダルシートが取り付けられた部分を示す図で、(a) は図１(a) におけるIIA −IIA 断面部分の拡大図、(b) はペダルシートの背面側から見た斜視図である。
【図３】図１の実施例においてペダルシートの一端Ｅに踏み込み力Ｆが加えられた場合に溶接部Ｗ２ａ、Ｗ２ｂに作用する引き剥がし力を説明する模式図で、図６の(b) に対応する図である。
【図４】本発明の他の実施例を説明する図で、(a) は左側面図、(b) はペダルシートの背面側から見た斜視図である。
【図５】本発明の更に別の実施例を説明する図で、ペダルシートの背面側から見た斜視図である。
【図６】本発明との比較例を説明する図で、(a) は正面図、(b) は(a) におけるVIB −VIB 断面に相当する図で、ペダルシートの一端Ｅに踏み込み力Ｆが加えられた場合に溶接部Ｗ２ａ、Ｗ２ｂに作用する引き剥がし力Ｌａ、Ｌｂを説明する模式図である。
【発明を実施するための形態】
【００１７】
本発明は、例えば常用或いは駐車用のブレーキペダル、アクセルペダル等に好適に適用される。第２発明のペダルアームは、一対の半割体から成る中空構造を成しているが、例えば１枚の板材を角筒形状等に折り曲げて溶接等により一体的に接合した中空構造のペダルアームを採用することもできるし、比較的厚板の平板状のペダルアームを採用することもできるなど、種々の態様が可能である。
【００１８】
上記一対の半割体は、例えばハット断面形状とされ、互いに対向する姿勢で外周部のフランジが互いに接するように重ね合わせて溶接等により一体的に接合されることにより中空構造とされる。この中空構造は、必ずしも全周が袋状に密閉される必要はなく、一部が開口していても良い。
【００１９】
ペダルアームの下端部に設けられる一対のシート取付部は、ペダルシートの車両幅方向における中心線に対して略対称的に構成され、中心線に対して対称位置に固設されるようにすることが望ましいが、一対のシート取付部を非対称に構成したり、ペダルシートの車両幅方向の中心線に対して非対称位置に固設されるようにしたりすることも可能である。
【００２０】
一対のシート取付部は、前記中空構造のペダルアームの場合、例えば側板部分を切り曲げるなどして形成することができ、１枚の平板状のペダルアームの場合は半分或いは３分割以上に切って反対側へ略直角に折り曲げることにより形成できる。シート取付部は、例えばペダルシートの背面に略密着するようにペダルシートの形状に合わせて平板形状や湾曲形状等とすることが望ましいが、少なくとも一部がペダルシートに接触し、溶接や接着剤、ねじ等の固設手段により一体的に固設できれば良い。ペダルアームおよびペダルシートは例えば金属材料にて構成されるが、固設手段として接着剤やねじ等を用いる場合は合成樹脂材料等を採用することもできる。
【００２１】
ペダルシートとシート取付部とは、例えば一対のシート取付部の先端縁や側端縁に沿って消耗電極式アーク溶接や溶接棒等を用いた隅肉溶接などで溶接されるが、非消耗電極式溶接法であるプラズマアーク溶接やＴＩＧ溶接、或いはレーザー溶接、電子ビーム溶接などの溶加材を用いることなく母材（ペダルシートおよびシート取付部）のみを溶かして溶接する溶接法を採用することもできる。シート取付部の中央部分等をスポット溶接等の抵抗溶接でペダルシートに溶接することもできるなど、他の溶接手段を採用することもできる。
【００２２】
第２発明では、一対の半割体の下端部に車両幅方向へ拡開するテーパが設けられているが、他の発明の実施に際しては一対の半割体が略平行のまま下端部まで達していても良い。テーパは、シート取付部までＶ字状に拡開する場合でも、先端部がペダルシートに対して略垂直に突き当たるようにＵ字形状を成すものでも良いなど種々の態様が可能である。要するに、シート取付部が設けられる先端部分が、ペダルアームの他の部分よりも車両幅方向へ離間していれば良い。
【００２３】
第３発明では、コーナー部分の少なくとも一部が外側へ膨出させられているが、他の発明の実施に際しては略直線に沿って折り曲げられることによりシート取付部が設けられても良い。第３発明の膨出は、コーナー部分の全体が外側へ湾曲するように膨出させたものでも良いが、コーナー部分の一部或いは複数箇所を部分的に外側へ膨出させた補強ビードなどでも良い。補強ビードは、コーナー部分からペダルアーム方向（ペダルシートから離間する方向）へ長手状に設けられるもので、例えば半円筒形状や半円錐形状、或いは断面Ｖ字形状など種々の態様が可能である。両側のコーナー部分にそれぞれ複数の補強ビードを設けることも可能である。
【００２４】
第４発明では、一対のシート取付部がペダルシートの車両幅方向の両端部近傍まで延び出しているが、両端部近傍とは、ペダルシートの端部と略一致するか、或いは５ｍｍ未満の範囲でペダルシートの端部より短い場合である。他の発明の実施に際しては、シート取付部の先端がペダルシートの端部より５ｍｍ以上短くても差し支えない。
【実施例１】
【００２５】
以下、本発明の実施例を、図面を参照しつつ詳細に説明する。
図１は、本発明が適用された車両の常用ブレーキ用のブレーキペダル１０を示す図で、(a) は左側面図、(b) は正面図である。図２は、図１のブレーキペダル１０のペダルアーム１４とペダルシート１８との接合構造を説明する図で、(a) は図１(a) におけるIIＡ−IIＡ断面の拡大図、(b) はペダルシート１８の背面側（車両の下方側）から見た斜視図である。このブレーキペダル１０は、ペダルアーム１４を主体として構成されており、そのペダルアーム１４の上端部において支持軸１２の軸心である支持軸心Ｏまわりに回動可能に支持されている。
【００２６】
ペダルアーム１４の下端には、板状のペダルシート１８が一体的に固設されており、そのペダルシート１８が運転者によって踏込み操作されることにより、ブレーキペダル１０は図１の(a) において支持軸１２の右回りに回動させられる。ブレーキペダル１０には、支持軸１２と略平行な連結ピン２０の軸心まわりに相対回動可能にブレーキマスタシリンダのプッシュロッド２２がクレビス２４を介して連結されており、ブレーキペダル１０の回動に伴ってプッシュロッド２２が機械的に図の左方向へ押圧されることにより、ブレーキペダル１０の踏込み操作力に応じてブレーキ油圧を発生させる。プッシュロッド２２は、ブレーキマスタシリンダから突き出すように付勢されており、ペダルシート１８の踏込み操作が解除されると、その付勢力によってブレーキペダル１０は支持軸１２の左まわりに戻り回動させられて図１に示す原位置に保持される。
【００２７】
上記ペダルアーム１４は薄板中空構造を成しており、車両の幅方向すなわち図１(b) における左右方向に２分割された形状の一対の半割体３２、３４にて構成されている。半割体３２、３４は鋼板をプレスにより曲げ加工したもので、それぞれ断面が略ハット形状を成しており、そのハット形状の開口側が互いに対向する姿勢で、且つ開口部に外向きに設けられた互いに平行な板状の外周フランジ３２ｆ、３４ｆが密着するように重ね合わされた状態で、その外周フランジ３２ｆ、３４ｆの外端縁、すなわち車両の前後方向乃至は上下方向に位置する端縁がアーク溶接等により一体的に溶接されている。図１(b) 、図２(a) 、(b) に示す第１溶接部Ｗ１は、この外周フランジ３２ｆおよび３４ｆの相互の溶接部を表している。
【００２８】
前記ペダルシート１８は、鋼板等の金属板材にて構成されており、ペダルアーム１４に部分的に重ね合わされてアーク溶接等により一体的に溶接されている。すなわち、ペダルアーム１４を構成している半割体３２、３４の下端後部（運転席側）は、図２から明らかなようにペダルシート１８に向かうに従ってテーパ状（実施例では略Ｕ字形状）に車両幅方向へ拡開させられているとともに、その拡開側の端部（後端）から更に外側、すなわち車両幅方向の両側へ略直角に折り曲げられ、ペダルシート１８に沿って延びる一対の平坦なシート取付部３２ｔ、３４ｔが設けられており、ペダルシート１８はそれ等のシート取付部３２ｔ、３４ｔにそれぞれ略密着する状態で溶接により一体的に接合されている。一対のシート取付部３２ｔ、３４ｔは、それぞれ略長方形状を成しており、その外側の先端縁を含むコの字形状の３箇所の外端縁において、シート取付部３２ｔ、３４ｔとペダルシート１８とが一体的に溶接されている。図１(a) 、図２(a) 、(b) に示す第２溶接部Ｗ２ａ、Ｗ２ｂは、このシート取付部３２ｔ、３４ｔとペダルシート１８との溶接部を表している。なお、上記外端縁の溶接に加えて、或いはその代わりに、シート取付部３２ｔ、３４ｔの中央部分等をスポット溶接等の抵抗溶接でペダルシート１８に溶接することも可能である。
【００２９】
ペダルシート１８は、車両幅方向の中心線に対して左右対称に構成されているとともに、図１(a) から明らかなように上下方向において僅かに湾曲しているが、中心線に対して対称的な左右の２箇所に背面側（ペダルアーム１４側）へ膨出する平坦な台座部４０、４２が設けられており、一対のシート取付部３２ｔ、３４ｔはその平坦な台座部４０、４２に密着させられた状態で一体的に固設されている。ペダルシート１８には、この台座部４０、４２の他、補強用の凹凸がプレス加工等によって設けられている。一方、一対の半割体３２、３４のうち、外側へ略直角に曲げられることにより前記シート取付部３２ｔ、３４ｔが設けられたコーナー部分には、外側へ膨出する補強ビード４４、４６がシート取付部３２ｔ、３４ｔに対して略垂直な方向（図１(a) における左下方向）に向かって設けられている。この補強ビード４４、４６は略半円錐形状を成しているとともに、それぞれ上下方向に離間して２本ずつ互いに平行に設けられている。
【００３０】
このように本実施例のブレーキペダル１０は、ペダルアーム１４の下端部に車両幅方向の両側へ互いに離間するように略直角に折り曲げられた一対のシート取付部３２ｔ、３４ｔが一体に設けられ、ペダルシート１８は車両幅方向の中央から左右に対称的に離間した２位置（台座部４０、４２）でそのシート取付部３２ｔ、３４ｔに溶接により一体的に固設されている。このため、ペダルシート１８の端が踏み込み操作されるオフセット踏み込み時においても、溶接による固設部位（第２溶接部Ｗ２ａ、Ｗ２ｂ）に作用する引き剥がし力は比較的小さく、ペダルシート１８を比較的小さな接合強度で簡単且つ安価にペダルアーム１４に溶接できる。
【００３１】
図３は、本実施例におけるペダルシート１８の固設部分の模式図で、前記図６の(b) に対応する図であり、ペダルシート１８の一端Ｅに踏み込み力Ｆが加えられても、点Ｐを支点として反対側の第２溶接部Ｗ２ａに作用する引き剥がし力Ｌａは図６(b) の場合よりも十分に小さく、一端Ｅ側の第２溶接部Ｗ２ｂは支点Ｐと略同じ位置で、その第２溶接部Ｗ２ｂに作用する引き剥がし力は略０である。
【００３２】
また、本実施例は、ペダルアーム１４が一対の半割体３２、３４にて構成されている中空構造の場合で、所定の強度（捩り剛性など）を確保しつつ軽量化できる一方、その一対の半割体３２、３４の下端後部側がテーパ状に車両幅方向へ拡開されているとともに、その拡開側の端部から更に外側へペダルシート１８に沿うように曲げられることによってシート取付部３２ｔ、３４ｔが設けられている。このため、ペダルアーム１４の下端部の強度（捩り剛性等）が更に高くなってシート取付部３２ｔ、３４ｔに固設されるペダルシート１８の姿勢が一層安定するとともに、固設部位（第２溶接部Ｗ２ａ、Ｗ２ｂ）がペダルシート１８の端部に近くなるため、オフセット踏み込み時にその固設部位（第２溶接部Ｗ２ａ、Ｗ２ｂ）に作用する引き剥がし力が更に小さくなる。
【００３３】
また、本実施例では、外側へ略直角に曲げられることによりシート取付部３２ｔ、３４ｔが設けられたコーナー部分に、その外側へ膨出する補強ビード４４、４６がそのシート取付部３２ｔ、３４ｔに対して略垂直な方向に設けられているため、コーナー部分を含めたシート取付部３２ｔ、３４ｔの強度が高くなり、オフセット踏み込み時に固設部位（第２溶接部Ｗ２ａ、Ｗ２ｂ）に作用する引き剥がし力が小さくなることと相まってペダルシート１８の姿勢が一層安定するとともに、所定の強度を確保しつつ一対の半割体３２、３４の薄肉化等により更なる軽量化を図ることができる。
【００３４】
また、本実施例では、一対のシート取付部３２ｔ、３４ｔの先端縁すなわち最も離間した位置を含むコの字状の外端縁においてペダルアーム１４とペダルシート１８とが一体的に溶接されているため、、ペダルシート１８の姿勢が一層安定するとともに、オフセット踏み込み時に固設部位（第２溶接部Ｗ２ａ、Ｗ２ｂ）に作用する引き剥がし力が更に小さくなる。
【００３５】
また、本実施例ではペダルシート１８に一対の平坦な台座部４０、４２が設けられ、その台座部４０、４２に一対のシート取付部３２ｔ、３４ｔが固設されるため、ペダルシート１８の全体形状を所定形状（実施例では湾曲形状）として踏み込み操作性を確保しつつ、シート取付部３２ｔ、３４ｔを確実に台座部４０、４２に密着させて所定の固設強度を得ることが可能であり、ペダルシート１８の形状に合わせてシート取付部３２ｔ、３４ｔを湾曲形状等に成形する場合に比較して製造コストが一層低減される。
【実施例２】
【００３６】
次に、本発明の他の実施例を説明する。なお、以下の実施例において前記実施例と実質的に共通する部分には同一の符号を付して詳しい説明を省略する。
【００３７】
図４の実施例は、ペダルシート５０の車両幅方向の寸法が比較的狭く、一対の半割体３２、３４の下端後部に設けられたシート取付部３２ｔ、３４ｔの先端が、それぞれペダルシート５０の車両幅方向の端縁に達している場合で、(a) は左側面図、(b) はペダルシート５０の背面側から見た斜視図である。そして、そのシート取付部３２ｔ、３４ｔの先端縁を含むコの字状の３箇所の外端縁において、シート取付部３２ｔ、３４ｔとペダルシート５０とが一体的に溶接されている。本実施例では、シート取付部３２ｔ、３４ｔの先端がペダルシート５０の車両幅方向の端縁に達しているため、そのシート取付部３２ｔ、３４ｔに固設されるペダルシート５０の姿勢が一層安定するとともに、オフセット踏み込み時にその固設部位（第２溶接部Ｗ２ａ、Ｗ２ｂ）に作用する引き剥がし力が更に小さくなって略０になる。
【実施例３】
【００３８】
図５は、前記図２の(b) と同様にペダルシート１８の背面側（車両の下方側）から見た斜視図である。本実施例では、ペダルアーム１０の下端部がテーパ状に拡開させられている点は前記実施例１と同様であるが、その拡開側の端部から更に外側へペダルシート１８に沿うように折り曲げられることによって設けられるシート取付部３２ｓ、３４ｓは、折り曲げ部分であるコーナー部分と共にハの字形状を成すように車両幅方向の外側へ緩やかに膨出するように湾曲させられている。そして、これ等のシート取付部３２ｓ、３４ｓは、ペダルシート１８の中央部分に背面側へ膨出するように設けられた平坦な単一の台座部５２に密着させられ、湾曲形状の外側の周縁部がアーク溶接等によって一体的に溶接されている。第３溶接部Ｗ３ａ、Ｗ３ｂは、このシート取付部３２ｓ、３４ｓとペダルシート１８との溶接部を表している。本実施例においても、一対のシート取付部３２ｓ、３４ｓのコーナー部分がそれぞれ外側へ膨出させられているため、コーナー部分を含めたシート取付部３２ｓ、３４ｓの強度が高くなるなど、前記実施例１と同様の作用効果が得られる。
【００３９】
以上、本発明の実施例を図面に基づいて詳細に説明したが、これ等はあくまでも一実施形態であり、本発明は当業者の知識に基づいて種々の変更，改良を加えた態様で実施することができる。
【符号の説明】
【００４０】
１０：ブレーキペダル（車両用操作ペダル）    １４：ペダルアーム    １８、５０：ペダルシート    ３２ｔ、３４ｔ、３２ｓ、３４ｓ：シート取付部    ４４、４６：補強ビード    Ｏ：支持軸心    Ｗ２ａ、Ｗ２ｂ：第２溶接部    Ｗ３ａ、Ｗ３ｂ：第３溶接部
【図１】
2011090525.tif 000003
【図２】
2011090525.tif 000004
【図３】
2011090525.tif 000005
【図４】
2011090525.tif 000006
【図５】
2011090525.tif 000007
【図６】
2011090525.tif 000008